(57)【要約】  取付け装置は、パネル部分、およびパネル部分の周囲内に提供される留め具受け構造を備える。留め具受け構造は、挿入留め具を受けるための開口、および、下地表面に対してパネル部分を取り付ける開口中に留め具を挿入することにより開口を含む留め具受け構造の少なくとも一部を屈曲する屈曲機構を備えうる。
2021535992.tif 000002
【特許請求の範囲】
【請求項１】
パネル部分；
前記パネル部分の周囲内に提供される留め具受け構造
を備える取付け装置であって、
前記留め具受け構造が、開口を画定する屈曲機構を含み、該屈曲機構が、下地表面に対して前記パネル部分を取り付ける前記気開口中に留め具を挿入することにより前記留め具受け構造が屈曲することを可能とする、ことを特徴とする、
取付け装置。
【請求項２】
前記屈曲機構は、前記留め具受け構造の一部が屈曲することを可能とし、前記開口中に過剰挿入される前記留め具を収容することを特徴とする、請求項１に記載の取付け装置。
【請求項３】
前記留め具受け構造が、前記パネル部分と一体的に形成されることを特徴とする、請求項１に記載の取付け装置。
【請求項４】
前記留め具受け構造が前記パネル部分と別個に形成され、前記屈曲機構が１つまたは複数の屈曲アームを含むことを特徴とする、請求項１に記載の取付け装置。
【請求項５】
前記１つまたは複数の屈曲アームが屈曲して、前記屈曲機構が前記留め具の挿入により屈曲することを可能とすることを特徴とする、請求項４に記載の取付け装置。
【請求項６】
前記留め具受け構造の前記１つまたは複数の屈曲アームが、１つまたは複数のスリットを画定する螺旋として配置され、前記１つまたは複数の屈曲アームが、前記パネル部分の内周インターフェースから前記開口を画定するリング構造まで伸長することを特徴とする、請求項５に記載の取付け装置。
【請求項７】
前記リング構造が、前記留め具の挿入により前記１つまたは複数の屈曲アームと共に内側に移動することを特徴とする、請求項６に記載の取付け装置。
【請求項８】
前記屈曲機構が、前記１つまたは複数の屈曲アームの特定の屈曲アームを前記内周インターフェースに取り付ける破損リブを含み、該破損リブが、前記留め具の挿入中に前記特定の屈曲アームが所定の閾値を超えて内側に屈曲する際にスナップするよう構成されることを特徴とする、請求項６に記載の取付け装置。
【請求項９】
前記破損リブが、スナップする際に可聴フィードバックを提供するよう構成されることを特徴とする、請求項８に記載の取付け装置。
【請求項１０】
前記留め具受け構造が、前記パネル部分と異なる材料で構成されることを特徴とする、請求項４に記載の取付け装置。
【請求項１１】
前記パネル部分の材料がプラスチックを含み、前記留め具受け構造の前記異なる材料が金属を含むことを特徴とする、請求項１０に記載の取付け装置。
【請求項１２】
前記取付け装置が、住居の主配線を含む電気ジャンクジョンボックスと嵌合することを特徴とする、請求項１に記載の取付け装置。
【請求項１３】
前記パネル部分が、前記取付け装置を電子モジュールの電気コネクタの対応セットに電気的に接続する１つまたは複数の電気コネクタを含む電気嵌合インターフェースを備え、該電気嵌合インターフェースの正面ファサードが、安全スイッチに接続されたプランジャを含み、前記安全スイッチが、前記電気嵌合インターフェースの前記１つまたは複数の電気コネクタと前記住居の前記主配線との間に配置される、ことを特徴とする、請求項１２に記載の取付け装置。
【請求項１４】
前記プランジャが、前記電子モジュールを前記電気嵌合インターフェースに接続することにより前記安全スイッチが押し下げられて閉じられ、前記安全スイッチを閉じることにより、前記住居の前記主配線が前記電子モジュールに電気的に接続される、ことを特徴とする、請求項１３に記載の取付け装置。
【請求項１５】
取付け装置を含む電子アセンブリであって、
前記取付け装置が、
パネル部分；
前記パネル部分の周囲内に提供される留め具受け構造；
前記取付け装置の正面ファサード上の結合機構のセット；および
電子モジュール
を備え、
前記留め具受け構造が、開口を画定する屈曲機構を含み、該屈曲機構が、下地表面に対して前記パネル部分を取り付ける前記気開口中に留め具を挿入することにより前記留め具受け構造が屈曲することを可能とし、
前記電子モジュールが、前記取付け装置の前記結合機構のセットに前記電子モジュールを結合するための結合機構の対応するセットを含む
ことを特徴とする、電子アセンブリ。
【請求項１６】
前記取付け装置の前記正面ファサード上の前記結合機構のセットが、前記電子モジュールの１つまたは複数の電気コネクタの対応するセットに電気的に接続するための１つまたは複数の電気コネクタを含み、前記取付け装置の前記正面ファサードがさらに、安全スイッチに接続されたプランジャを含み、前記安全スイッチが、前記取付け装置の前記１つまたは複数の電気コネクタと住居の主配線との間に配置される、ことを特徴とする、請求項１５に記載の電子アセンブリ。
【請求項１７】
前記プランジャが、前記電子モジュールを前記取付け装置に接続することにより前記安全スイッチが押し下げられて閉じられ、前記安全スイッチを閉じることにより、前記住居の前記主配線が前記電子モジュールに電気的に接続される、ことを特徴とする、請求項１６に記載の電子アセンブリ。
【請求項１８】
前記電子モジュールがさらに、（ｉ）前記電子モジュールの正面ファサード上に配置されたカメラ、および（ｉｉ）前記カメラが露出される開状態と前記カメラを遮断する閉状態との間で動作するよう構成されるシャッター機構を含むフェースプレート、を備えることを特徴とする、請求項１６に記載の電子アセンブリ。
【請求項１９】
前記シャッター機構が、同じ水平軸で前記カメラに対して横方向に配置されるシャッタースライダーを含み、該シャッタースライダーは、前記シャッター機構が前記開状態と前記閉状態との間で動作することを可能にする、ことを特徴とする、請求項１８に記載の電子アセンブリ。
【請求項２０】
前記シャッター機構が、前記開状態と前記閉状態との間で前記シャッター機構をどうさする一対のスライダー付属物を含むシャッタースライダーを備え、前記一対のスライダー付属物の各々が、前記カメラに対応する水平軸とは異なる水平軸に沿ってスライドする、ことを特徴とする、請求項１８に記載の電子アセンブリ。
【発明の詳細な説明】
【関連出願の相互参照】
【０００１】
本出願は、２０１８年７月２０日に出願された米国仮出願第６２／７０１，４１８号、２０１８年１０月１１日に出願された米国仮出願第６２／７４４，４３１号、および２０１９年７月２０日に出願された米国特許出願第１６／５１７，５５３号に対する優先権を主張するものであり、上述の出願は参照によりその全体が本明細書に組み込まれるものである。
【技術分野】
【０００２】
実施例は、取付け装置に関し、より詳細には、留め具受け構造を備えた取付け装置に関する。
【背景技術】
【０００３】
多くの種類の取付け装置は、ネジ、ボルト、釘、または他の挿入留め具を用いた取付けを必要とする。例えば、小ネジなどのネジを使用して、スイッチ、例えばライトまたはファンスイッチのような装置を、電気ボックス中に設置してもよく、電気ボックスは例えば壁の中にあってもよく壁に取り付けられてもよい。そのような装置を、歪ませるかあるいは損傷を与えるほどきつく固定せずにしっかりと固定することを確保することは、現在のところ困難である。
【図面の簡単な説明】
【０００４】
【図１Ａ】歪み低減性能を備えた留め具受け構造を有する取付け装置の例を示す図
【図１Ｂ】歪み低減性能を備えた留め具受け構造を有する取付け装置の例を示す図
【図１Ｃ】歪み低減性能を備えた留め具受け構造を有する取付け装置の例を示す図
【図１Ｄ】歪み低減性能を備えた留め具受け構造を有する取付け装置の例を示す図
【図１Ｅ】図１Ａ〜図１Ｄにより示されるような例示的な取付け装置のバリエーションを示す図
【図１Ｆ】１つ以上の例にしたがった、取付け装置と共に用いるための、留め具受け構造のバリエーションを示す図
【図２Ａ】壁に対してベース装置を取り付けるための少なくとも１つの留め具受け構造を有するベース装置の例を示す図
【図２Ｂ】壁に対してベース装置を取り付けるための少なくとも１つの留め具受け構造を有するベース装置の例を示す図
【図３Ａ】少なくとも１つの留め具受け構造を有するベース装置の別の例を示す図
【図３Ｂ】少なくとも１つの留め具受け構造を有するベース装置の別の例を示す図
【図４Ａ】少なくとも１つの留め具受け構造を有するベース装置のさらに別の例を示す図
【図４Ｂ】少なくとも１つの留め具受け構造を有するベース装置のさらに別の例を示す図
【図５Ａ】１つ以上の例にしたがった、電子モジュールを受け取るためのモジュール化インターフェースを提供するように設置できるベース装置を示す図
【図５Ｂ】１つ以上の例にしたがった、ベース装置内に保持できる電子部品のブロック図
【図５Ｃ】１つ以上の例にしたがった、電気ボックスに取り付けられる電子アセンブリのためのベース装置を示す図
【図５Ｄ】１つ以上の例にしたがった、壁の中に提供される電気ボックスと共に、電子モジュールおよびベース装置を有する電子アセンブリの設置を示す図
【図５Ｅ】壁の中の電気ボックスに取り付けられる電子アセンブリを示す図
【図５Ｆ】壁の中の電気ボックスに取り付けられる電子アセンブリを示す図
【図５Ｇ】１つ以上の例にしたがった、ベース装置、電子モジュール、およびフェースプレートを有する電子アセンブリの例を示す図
【図５Ｈ】１つ以上の例にしたがった、ベース装置、電子モジュール、およびフェースプレートを有する電子アセンブリの例を示す図
【図６Ａ】１つ以上の例にしたがった、ベース装置の代替的なバリエーションを示す図
【図６Ｂ】１つ以上の例にしたがった、ベース装置の代替的なバリエーションを示す図
【図７Ａ】電子モジュールおよびベース装置の取付けを可能にするためにフックファスナーが使用される、電子アセンブリの別の例を示す図
【図７Ｂ】電子モジュールおよびベース装置の取付けを可能にするためにフックファスナーが使用される、電子アセンブリの別の例を示す図
【図７Ｃ】電子モジュールおよびベース装置の取付けを可能にするためにフックファスナーが使用される、電子アセンブリの別の例を示す図
【図７Ｄ】電子モジュールおよびベース装置の取付けを可能にするためにフックファスナーが使用される、電子アセンブリの別の例を示す図
【図８Ａ】ベース装置への電子モジュールの取付けを可能にするためにスライドおよび回転機構を利用する、電子アセンブリ別の例を示す図
【図８Ｂ】ベース装置への電子モジュールの取付けを可能にするためにスライドおよび回転機構を利用する、電子アセンブリ別の例を示す図
【図８Ｃ】ベース装置への電子モジュールの取付けを可能にするためにスライドおよび回転機構を利用する、電子アセンブリ別の例を示す図
【図８Ｄ】ベース装置への電子モジュールの取付けを可能にするためにスライドおよび回転機構を利用する、電子アセンブリ別の例を示す図
【図８Ｅ】ベース装置への電子モジュールの取付けを可能にするためにスライドおよび回転機構を利用する、電子アセンブリ別の例を示す図
【図８Ｆ】ベース装置への電子モジュールの取付けを可能にするためにスライドおよび回転機構を利用する、電子アセンブリ別の例を示す図
【図９Ａ】ベース装置が電子モジュールのための保持レセプタクルを提供する、電子アセンブリの例を示す図
【図９Ｂ】ベース装置が電子モジュールのための保持レセプタクルを提供する、電子アセンブリの例を示す図
【図１０Ａ】１つ以上の例にしたがった、電子アセンブリのための拡張ベース装置を示す図
【図１０Ｂ】１つ以上の例にしたがった、電子アセンブリのための拡張ベース装置を示す図
【図１１Ａ】本明細書に記載される様々の例にしたがった、取り付けられた電子装置に電力供給するための例示的な安全スイッチを示す図
【図１１Ｂ】本明細書に記載される様々の例にしたがった、取り付けられた電子装置に電力供給するための例示的な安全スイッチを示す図
【図１１Ｃ】本明細書に記載される様々の例にしたがった、取り付けられた電子装置に電力供給するための安全スイッチの例を示す図
【図１２Ａ】本明細書に記載される例にしたがった、取り付けられた電子装置に電力供給するための例示的な安全スイッチの別の例を示す図
【図１２Ｂ】本明細書に記載される例にしたがった、取り付けられた電子装置に電力供給するための例示的な安全スイッチの別の例を示す図
【図１３Ａ】様々の例にしたがった、電子装置のためのシャッター機構の例示的な実施形態を示す図
【図１３Ｂ】様々の例にしたがった、電子装置のためのシャッター機構の例示的な実施形態を示す図
【図１３Ｃ】様々の例にしたがった、電子装置のためのシャッター機構の例示的な実施形態を示す図
【図１３Ｄ】様々の例にしたがった、電子装置のためのシャッター機構の例示的な実施形態を示す図
【図１４Ａ】本明細書に記載される例にしたがった、電子装置のためのシャッター機構の別の例示的な実施形態を示す図
【図１４Ｂ】本明細書に記載される例にしたがった、電子装置のためのシャッター機構の別の例示的な実施形態を示す図
【図１４Ｃ】本明細書に記載される例にしたがった、電子装置のためのシャッター機構の別の例示的な実施形態を示す図
【図１５Ａ】図１３Ａ〜図１３Ｄに関して図示され説明されるシャッター機構において実装されるシャッター装置を示す図
【図１５Ｂ】図１３Ａ〜図１３Ｄに関して図示され説明されるシャッター機構において実装されるシャッター装置を示す図
【図１６Ａ】図１４Ａ〜図１４Ｃに関して図示され説明されるシャッター機構において実装されるシャッター装置を示す図
【図１６Ｂ】図１４Ａ〜図１４Ｃに関して図示され説明されるシャッター機構において実装されるシャッター装置を示す図
【発明を実施するための形態】
【０００５】
本開示を通して説明される実施例は、パネル部分、およびパネル部分の周囲または開口内にそれぞれ提供される１つ以上の留め具受け構造を備える、電子モジュールのためのベース装置または取付け装置を提供する。留め具受け構造は、挿入留め具を受けるための開口、および、下地表面に対してパネル部分を取り付ける開口中に留め具を挿入することにより開口を含む留め具受け構造の少なくとも一部を屈曲する屈曲機構を備えうる。本明細書において、取付け装置は、１つ以上の留め具（例えばネジ）を用いて、レセプタクル（例えば電気ボックス）のような別の構造に取り付けることができる任意の装置を称する。
【０００６】
過剰歪み保護を備えた取付け装置
図１Ａ〜図１Ｄは、歪み低減性能を備えた少なくとも１つの留め具受け構造１２０を有する取付け装置の実施例を示している。実施例によれば、取付け装置１００は、留め具９０を留め具受け構造１２０に挿入することによって、下地構造（例えばレセプタクル）または表面（例えば壁）に取り付けることができるパネル部分１１０を含む。留め具受け構造１２０は、留め具を受けるための開口１２２、並びに、開口１２２が内側に移動することおよび／または留め具の挿入により屈曲することを可能にする屈曲機構を含む。実施例において、取付け装置１００は、下地表面または構造に取り付け可能であり、パネル部分１１０は平面のままである一方で、挿入留め具は下地表面または構造に対してパネルを固定する。
【０００７】
いくつかの実施例では、取付け装置１００は、照明スイッチの電気配線を保持するために電気ボックスに取り付けられる装置またはアセンブリに対応する。取付け装置１００は、取付け装置１００が設置される際に下地壁に形成された開口に挿入することができるレセプタクル部分１３０を含んでもよい。しかしながら、いくつかの実施例は電気ボックスに設置する取付け装置との関連で説明されるが、他のバリエーションでは、取付け装置１００は、別のタイプの構造または表面に取り付けるフェースプレートのような別のタイプの構造または装置に対応してもよい。
【０００８】
取付け装置１００は、パネル部分１１０の上部領域に設けられた第１の留め具受け構造１２０、およびパネル部分１１０の下部領域に設けられた第２の留め具受け構造１２０を含む。バリエーションでは、より多くのまたはより少ない留め具受け構造１２０を使用することができる。実施例によれば、取付け装置１００の設置は、１つまたは複数の留め具を利用して、パネル部分１１０を下地表面に取り付けることができる。従来の設計では、留め具を挿入すると、パネル部分１１０の表面に歪みおよび応力が発生する。歪みおよび応力により、パネル部分１１０は、たわみ、破損を受ける、あるいは構造的完全性を失う可能性がある。いくつかの実施例では、パネル部分１１０はまた、パネル部分１１０のたわみまたは構造破損で破損しうる繊細な構成要素を含みうる。例として、パネル部分１１０は、回路および／またはコネクタなどの電子部品を支持する、あるいは提供することができ、これはパネル部分１１０によるたわみまたは破壊の結果として破損しうる。実施例では、留め具受け構造１２０は、パネル部分１１０を受け取り下地表面または構造に固定することができる一方で、パネル部分１１０をたわませるまたは構造的完全性を失わせる歪みを低減または排除する。
【０００９】
図１Ａは、留め具受け構造１２０が挿入留め具を受容する前の、設置前の状態の取付け装置１００を示している。留め具受け構造１２０は、パネル部分１１０の周囲内に形成することができる。実施例では、留め具受け構造１２０は、１つまたは複数のボイド１２６（例えば、図１Ａに示される湾曲スリット）、各ボイド１２６から伸長するまたは各ボイド１２６を画定する１つまたは複数の部材１２４、および部材１２４に接続するリング構造１２８によって形成されうる屈曲機構を含む。
【００１０】
図１Ｂは、挿入留め具９０が開口１２２に挿入されている、設置（または部分的に設置された）状態の取付け装置１００を示している。挿入留め具９０は、例えばネジに対応しうる。壁取付け用途（例えば、取付け装置１００が電気ボックスに取り付けられて電気スイッチを提供する場合）では、挿入留め具９０は乾式壁ネジに対応しうる。
【００１１】
図１Ｃは、線Ａ−Ａに沿った図１Ｂの側面断面図である。図１Ｃでは、留め具９０は、それぞれの開口１２２に完全に挿入されていることが示される。各留め具９０の挿入された長さは、下地壁８８の留め具レセプタクル９４内に伸長する。取付け装置１００のレセプタクル部分１３０はまた、壁８８中に形成された対応する開口部９６（例えば、粗い乾式壁穴）内に適合しうる。留め具９０がそれぞれの留め具受け構造１２０に挿入された状態で、パネル部分１１０は平面のままであり、壁８８の部屋に面する表面に対して同一平面に固定されうる。
【００１２】
図１Ｄは、図１の領域Ｂ−Ｂのクローズアップである。図示される実施例では、留め具９０は、リング構造１２８によって画定される開口１２２に挿入される。リング構造１２８は、それぞれのボイド１２６まで伸長する部材１２４に接続される。１つの実装形態では、留め具９０が開口１２２に完全に挿入されると、例えばネジ頭を部分的に挿入する場合のように、留め具９０をさらに挿入することによって留め具９０の挿入幅が増加する。より広い幅の挿入によって、リング構造１２８は拡張しうる。例えば、リング構造１２８は、留め具９０のヘッドの内向きの力が留め具受け構造１２０に印可されると（例えば、留め具９０が留め具レセプタクル９４中に締め付けられると）屈曲しうる。追加またはバリエーションとして、留め具受け構造１２０の部材１２４は、留め具９０の挿入に対応するために、内側に移動する、あるいは屈曲することができる。このようにして、留め具受け構造１２０は、留め具９０の過剰挿入によって引き起こされる歪みおよび応力から生じうるパネル部分１１０のたわみおよび／または構造的完全性の喪失を防止することができる。
【００１３】
いくつかの実施例では、留め具受け構造１２０は、パネル部分１１０に関して一体的に形成することができる。例えば、パネル部分１１０は、所定の厚さの可撓性材料から形成することができ、留め具受け構造１２０は、パネル部分１１０のセグメント（例えば、厚みが薄くなった部分）に形成されたスリットおよび／または他のボイドによって部分的に画定されうる。スリットおよび／またはボイドの形成によって、開口１２２を含む留め具受け構造１２０の一部が、屈曲および／または内側に移動して挿入された留め具９０を収容することが可能となる。例えば、留め具９０が過剰に挿入されると、留め具９０のヘッドは開口１２２に部分的に入る、あるいはリング構造１２８に内向きの力を加えることができる。そのような場合、リング構造１２８および／または部材１２４は、パネル部分１１０を歪ませることなく、屈曲して開口１２２を増加させることができる。追加またはバリエーションとして、リング構造１２８および／または部材１２４は、留め具９０の挿入とともに内側に移動して、生じる歪みを低減または排除することができる。
【００１４】
図１Ｅは、図１Ａ〜図１Ｄによって示される実施例のような例示的な取付け装置のバリエーションを示す。図１Ｅの実施例では、取付け装置１５０は、例えば、外線、負荷線および中性線を受け取るために住居の電気ボックスに結合できるベース構造またはモジュールに対応する。本明細書で提供されるように、「住居」は、家庭、オフィススペース、事業所、または典型的な配線および電力インフラを含む任意の内部スペースまたは外部スペースさえも含みうる。他のバリエーションでは、取付け装置１５０は、別の表面または構造に（例えばネジを介して）固定することができるフェースプレートまたはモノリシック装置などの別のタイプの装置として実装することができる。図１Ｅの実施例において、取付け装置１５０は、パネル部分１６０および留め具受け構造１７０を含む。取付け装置１５０はまた、電子配線または構成要素を保持することができるレセプタクル部分１８０を含んでもよい。図６Ａおよび図６Ｂに関して説明されるようなバリエーションにおいて、レセプタクル部分１８０は、別の装置（例えば、電子モジュール）を取付け装置１５０に対して取り付けることを可能にするための電子部品およびコネクタインターフェースを含みうる。
【００１５】
図１Ｅの実施例では、留め具受け構造１７０は、パネル部分１６０とは別個に形成される。例えば、パネル部分１６０は成形プラスチックから形成されてもよく、留め具受け構造１７０は金属から形成されてもよい。留め具受け構造１７０は、パネル部分１６０のボイド内に形成することができ、ボイドの周囲は、留め具受け構造１７０のための内周インターフェース１６４を提供する。留め具受け構造１７０は、１つまたは複数の部材１７４を含んでもよく、これは、内周インターフェース１６４から、留め具を受容するための開口１７２を画定するリング構造１７８まで伸長する。
【００１６】
バリエーションでは、部材１７４の形状または寸法は、設計および実装に基づいて変化しうる。他の実施例で説明したように、部材１７４は、開口１７２が挿入留め具（例えばネジ）を受け取る際に、リング構造１７８および開口１７２に屈曲および／または内向きの移動を提供するように構成される。このようにして、挿入留め具を開口１７２を通して内側に挿入することができ、挿入から加えられる力により、リング構造１７８および開口１７２が内側に移動する。バリエーションでは、部材１７４および／またはリング構造１７８は、挿入留め具の過剰挿入から生じる、挿入留め具の追加の幅に対応するための追加の屈曲を有することができる。
【００１７】
図１Ｆは、取付け装置で使用するための留め具受け構造のバリエーションを示している。図１Ｆの実施例では、留め具受け構造１９０はパネル部分１８６上に設けられ、部材１９４はパネル部分１８６の内周インターフェース１８８から伸長する。部材１９４は、内周インターフェース１８８から、挿入留め具を受容するための開口１９２を画定するリング構造１９８まで伸長ことができる。部材１９４は、図１Ｅに示されるように、弧（例えば螺旋状）の形で形成されてもよい。他のバリエーションでは、部材１９４は、Ｕ字形部材（例えば、図２Ａおよび図２Ｂを参照）、または脚部材（例えば、図３Ａおよび図３Ｂを参照）などの代替形状を有してもよい。他の実施例で説明したように、部材１９４は、リング構造１９８および対応する開口１９２に屈曲および／または内向きの移動を提供するように構成される。
【００１８】
図１Ｆの実施例では、留め具受け構造１９０は、パネル部分１８６の内周インターフェース１８８および１つまたは複数の部材１９４に取り付けられる破損リブ１９５を含む。挿入部材が開口１９２に挿入されると、部材１９４は内側に移動して、挿入部材が挿入されることによるパネル部分１８６における歪みおよび応力を防止することができる。破損リブ１９５は、連結部材１９４の所定の許容可能な移動深さに相関するように、寸法を定めおよび／または材料で構成されてもよい。連結部材１９４が、破損リブ１９５の寸法および／または材料特性を超える深さに到達または通過すると、破損リブ１９５がスナップし、可聴および／または物理的フィードバックを引き起こす。可聴および／または物理的フィードバックを使用して、取付け装置の設置者が留め具の挿入を停止する必要があることを示すことができる。破損リブ１９５の寸法および／または材料を選択して、部材１９４の内向きの移動が部材１９４またはパネル部分１８６を損傷させうる点まで挿入された留め具が過剰挿入される直前に、設置者にフィードバックを提供することができる。このように、破損リブ１９５は、取付け装置の設置中に、例えば穿孔またはネジの回転などを設置者がいつ停止すべきかについてのフィードバックを提供することによって、設置プロセスを単純化する。
【００１９】
図２Ａおよび図２Ｂは、壁または電気ボックスに対して取付け装置２００を取り付けるための少なくとも１つの留め具受け構造２２０を有する取付け装置２００の実施例を示す。取付け装置２００は、レセプタクル２３０を含み、レセプタクルの上下に一対の留め具受け構造２２０が設けられている。取付け装置２００は、プラスチックなどの剛性材料から形成されたパネル部分２１０を含んでもよい。取り付けられると、パネル部分２１０は、下地壁に対して同一平面に固定される。他の実施例と同様に、パネル部分２１０のたわみは、パネル部分２１０が電子機器、回路、または他の取り付けられた構造を支持できないなどの所望でない問題を引き起こしうる。留め具受け構造２２０は、取付け装置２００を壁に取り付けるための留め具の使用に起因するたわみまたは他の所望でない歪みを防止するのに役立つ。
【００２０】
いくつかの実施例では、留め具受け構造２２０のそれぞれは、パネル部分２１０と別個に形成することができる。バリエーションでは、留め具受け構造２２０は、パネル部分２１０とは異なる材料から形成されてもよい。例えば、パネル部分２１０はプラスチックから形成することができる一方、留め具受け構造２２０は金属から形成することができる。
【００２１】
留め具受け構造２２０はそれぞれ、パネル部分２１０のボイドの周囲内に提供されうる。例えば、パネル部分２１０は、各留め具受け構造２２０のための内周インターフェース２１２を含みうる。内周インターフェース２１２は、それぞれの留め具受け構造２２０の構造部材を支持する内縁面に対応しうる。図２Ａおよび図２Ｂの実施例において、留め具受け構造２２０の構造部材は、Ｕ字形部材２２４およびリング構造２２８を含む。リング構造２２８によって画定される開口２２２は、留め具を受け取ることができる。１つの実装形態において、留め具（図示せず）の過剰挿入は、リング構造２２８および／またはＵ字形部材２２４による屈曲を引き起こす。追加またはバリエーションとして、留め具の挿入は、リング構造２２８および／またはＵ字形部材２２４による内側への移動を引き起こしうる。
【００２２】
図３Ａおよび図３Ｂは、少なくとも１つの留め具受け構造３２０を有する取付け装置３００の別の実施例を示している。他の実施例と同様に、取付け装置３００は、パネル部分３１０のボイドによって画定される周囲内に提供される留め具受け構造３２０を含む。図３Ａおよび図３Ｂに示されるバリエーションでは、留め具受け構造３２０のそれぞれは、パネル部分３１０の内周インターフェース３１２から伸長してリング構造３２８を形成する脚３２４を含む。リング構造３２８は、留め具を受け取るための開口３２２を画定する。１つの実装形態において、留め具（図示せず）の過剰挿入は、リング構造３２８および／または脚３２４による屈曲を引き起こし、屈曲は、留め具の増加した幅および／または内側への移動に対応する。追加またはバリエーションとして、留め具の挿入は、リング構造３２８および／または脚３２４による内側への移動を引き起こし、パネル部分３１０のたわみまたは破損を防ぐことができる。
【００２３】
図４Ａおよび図４Ｂは、留め具受け構造を有する取付け装置４００のさらに別の実施例を示している。取付け装置４００は、パネル部分４１０の周囲内に設けられた留め具受け構造４２０を含む。留め具受け構造４２０のそれぞれは、パネル部分４１０の内周インターフェース４１２によって画定されるボイド内で対応するリング構造４２８を支持する弧状部材４２４を含む。図４Ａおよび図４Ｂの実施例では、リング構造４２８は、留め具（図示せず）を受け取るための開口４２２を画定する。１つの実装形態において、留め具の過剰挿入は、リング構造４２８および／または弧状部材４２４による屈曲を引き起こす。追加またはバリエーションとして、留め具の挿入は、リング構造４２８および／または弧状部材４２４による内側への移動を引き起こし、パネル部分４１０のたわみまたは破損を防止することができる。
【００２４】
電子アセンブリを電気ボックスに取り付けるためのベース装置
いくつかの実施例は、ベース装置および電子モジュールの組合せを含む電子アセンブリを提供する。さらに、バリエーションでは、電子アセンブリは、電気ボックス（例えば、住居用の電気ジャンクションボックス）の配線とインターフェースをとることができる構成要素を保持するためのベース装置を含むことができ、ベース装置はまた、電子モジュールおよびフェースプレートを支持し、これらと接続することができる。さらに、いくつかの実施例では、ベース装置は、電気アセンブリの他の構成要素とは別個に取り付けることができる。例えば、ベース装置は、電気ジャンクションボックス（例えば、照明スイッチ用のギャングボックス）に機械的に接続されてもよく、さらに、住居の主配線（例えば、電気配線）から電力を受け取るように接続されてもよい。ベース装置が設置されると動作アセンブリが、照明制御および／または住居の他のデバイスとの通信インターフェースを提供するなど、様々な機能のいずれかを実行できるように、電子モジュールおよびフェースプレートをベース装置に動作可能に接続できる。
【００２５】
図５Ａは、電子モジュールを受け取るためのモジュール化されたインターフェースを提供するために設置することができるベース装置５００を示している。実施例によれば、ベース装置５００は、住居の配線から電力を受け取るように設置することができる。例えば、ベース装置５００は、電気ジャンクションボックスに結合され、電力を受け取るように接続され得る（例えば、照明スイッチのための外線および中性線を介して）。ベース装置５００のレセプタクルは、住居の電気配線（例えば、例えば、外線、負荷線および中性線）を受け取り、それと嵌合するための電気インターフェースを含むことができる。ベース装置５００はまた、電子モジュールと電気的に接続することができる回路、配線、および／または論理コンポーネント（例えば、マイクロコントローラ）などの電気部品を保持することができる。設置されると、ベース装置５００は、機械的および電気的に電子モジュールと嵌合することができる。
【００２６】
さらに、いくつかのバリエーションでは、ベース装置５００のパネル構造５１６は、機能を強化するための特徴を含むことができる。例えば、パネル構造５１６は、ベース装置５００の角またはその近くに配置された陥凹形成部５１５を含むことができ、ここで、ベース装置５００または取り付けられた電子モジュール５２０（例えば、図５Ｄに示されている）の無線通信機能を強化するために追加の配線が提供され得る。
【００２７】
ある実施例では、ベース装置５００は、設置されると、電気モジュール５２０のための嵌合インターフェース５１０を提供する（図５Ｄ〜５Ｆを参照）。嵌合インターフェース５１０は、１つまたは複数の電気コネクタ５１４を含み、これは、電力およびデータ接続を電子モジュール５２０に拡張することができる。いくつかの実施例では、ベース装置５００は、電子モジュール５２０から独立して動作可能である。例えば、ベース装置５００は、接続された電子モジュール５２０の有無にかかわらず、ベース装置５００が実行することができるコア機能のセットを含みうる。例えば、ベース装置５００は、従来の照明スイッチの代わりに電気ジャンクションボックスに設置することができる。そのような実施例では、電気ジャンクションボックスを介して提供される配線は、ベース装置５００の内部構成要素に接続されてもよく、その結果、１つまたは複数の電気コネクタ５１４は、照明を制御するための照明スイッチとしてユーザによって操作されうる。
【００２８】
ベース装置５００はまた、１つまたは複数の留め具受け構造５０２を含みうる。各留め具受け構造５０２は、留め具を受容するための開口を画定する部分を含むことができる。留め具受け構造５０２は、屈曲するか、または挿入留め具の挿入とともに内側に移動して、留め具の挿入から生じうる歪みを低減または排除することができる。
【００２９】
実施例では、ベース装置５００はまた、様々な異なるタイプの結合機構の任意の１つを使用して、電子モジュール５２０に機械的に結合するための構造的特徴を含むことができる。例えば、ベース装置５００は、電子モジュール５２０の背面ファサード（back facade）上の対応する開口と合わせてそれにはまる結合機構５０８（例えば、突起またはフック要素）を含むことができる。結合機構５０８は、電子モジュール５２０がベース装置５００に動作可能に取り付けられかつ取り外されることを可能にできる。取り付けられると、ベース装置５００は、コネクタ５１４を用いて、電力および他のリソース（例えば、データ通信）を電子モジュール５２０に供給しうる。
【００３０】
図５Ｂは、ベース装置５００内に保持することができる電気部品のブロック図を示している。ある実施例では、ベース装置５００は、住居の本線（mains）（「メインインターフェース５１３」）とインターフェースをとる電気部品（例えば、コネクタ、回路、および／または他のハードウェア）、取り付けられるとベース装置５００が機能および操作を実行することを可能にする電気部品５１６のセット、およびコネクタ５１４を含む。コネクタ５１４は、電子モジュール５２０の対応するコネクタと嵌合するように構成することができる。例として、電気部品５１６のセットは、データを格納するためのメモリ、マイクロコントローラ、および他のデバイスとの通信を可能にするための１つまたは複数の無線トランシーバを含むことができる。例として、電気部品５１６は、ベース装置５００がＷｉ−Ｆｉ、Ｚｉｇｂｅｅ（登録商標）、Ｚ−Ｗａｖｅ、またはブルートゥース（登録商標）を使用して通信することを可能にしうる。
【００３１】
ある実施例では、コネクタ５１４は、電力、データ、および機能を、接続された電子モジュール５２０に拡張することができる。いくつかのバリエーションでは、ベース装置５００はまた、電子モジュール５２０が取り付けられていないときにユーザがベース装置５００と相互作用することを可能にする１つまたは複数のユーザインターフェース機構を含んでもよい。例えば、ベース装置５００は、設置されるとベース装置５００が照明スイッチとして独立して動作することを可能にする１つまたは複数の対話型機構（例えば、タッチ面、スイッチ、ボタンなど）を含むことができる。
【００３２】
図５Ｃは、壁５９８内に設けられた電気ボックス５９５に取り付けられたベース装置５００を示している。ベース装置５００は、ベース装置５００を壁５９８に機械的に固定する留め具を受容することができる。ある実施例では、電気ボックス５９５は、壁５９８内に設置することができ、ベース装置５００は、留め具を介して電気ボックス５９５に固定することができる。いくつかのバリエーションでは、ベース装置５００は、留め具受け構造５０２を含み、ベース装置５００の設置中に留め具の挿入から生じた可能性のある歪みを低減または排除することができる。設置されると、ベース装置５００は、電子モジュール５２０と嵌合するための嵌合インターフェース５１０を提供することができる。
【００３３】
図５Ｄは、壁５９８内に提供される電気ボックス５９５と共に、電子モジュール５２０およびベース装置５００を有する電子アセンブリ５５０の設置を示す。電子モジュール５２０は、構造的特徴５０８、または他の実施例で説明されるような他の保持機構および特徴を使用して、ベース装置５００に機械的に接続することができる。電子モジュール５２０はまた、電子モジュール５２０の背面ファサードに設けられた適切に構成されたコネクタ要素を使用することにより、ベース装置５００のコネクタ５１４に電子的に接続することができる。
【００３４】
図５Ｅおよび図５Ｆは、設置された電子アセンブリを示している。ある実施例では、電子アセンブリ５５０は、ベース装置５００および電子モジュール５２０を含むことができる。ベース装置５００は、壁５９８内の電気ボックス５９５に設置することができる。図示されるように、電子モジュール５２０は、ベース装置５００のコネクタと位置合わせされそれに嵌合するように構成されたコネクタ要素のセットを有する背面ファサード５２３を含むことができる。さらに、実施例で説明したように、ベース装置５００および電子モジュール５２０は、１つまたは複数のセットの機械的留め具を利用して、電子モジュール５２０の背面ファサードをベース装置５００に接続することができる。例えば、背面ファサード５２３は、突起または他の結合特徴５０８を受容しつかむための開口を含み得る（図５Ａに示されるように）。
【００３５】
電子アセンブリ５５０は、照明スイッチおよび他のデバイスの制御動作などの機能を実行することができる、壁付きデバイスとして電子モジュール５２０を提供することができる。他の実施例で説明したように、電子モジュール５２０は、例えば、タッチスクリーンディスプレイまたはタッチ感応領域、追加の処理リソース、無線通信機能、音声入力などを介して、複合アセンブリに追加の機能を提供することができる。例として、電子モジュール５２０は、設置されたベース装置５００に接続されると、電気ボックス５９５、並びに所定の近傍内の他のデバイスを介して、照明または他の装置を制御する機能を提供することができる。いくつかの実施例では、ベース装置５００は、設置されると、適切に構造化された電子モジュール５２０を受容することができる。したがって、ユーザは、複数の代替電子モジュールをベース装置５００に取り付けることができる。例えば、ユーザは、電子モジュール５２０を部屋から部屋へと運び、住居内の異なるベース装置５００と電子モジュール５２０を嵌合することができる。
【００３６】
図５Ｇおよび図５Ｈは、ベース装置５００、電子モジュール５２０、およびフェースプレート５３０を有する電子アセンブリ５５０の実施例を示している。図５Ｇでは、電子モジュール５２０は、フェースプレート５３０に結合可能であることが示され、ベース装置５００に接続されている。電子モジュール５２０は、正面ファサード上にユーザインターフェースコンポーネントのセットを含み得る。例として、正面ファサードは、ディスプレイ５２４、タッチスクリーンまたはタッチ面、スピーカー、および／またはマイクロフォンを含む。
【００３７】
いくつかの実施例では、フェースプレート５３０は、正面ファサードのエッジを覆い、電子モジュール５２０に保護および／または装飾シェルを提供する。フェースプレート５３０はまた、例えば、ディスプレイ５２４、カメラ、センサ、または電子モジュール５２０のタッチ面を露出させるボイド５３２、５３４を含むことができる。フェースプレート５３０は、例えば、電子モジュール５２０またはフェースプレート５３０のいずれかから伸長して、モジュール／フェースプレート５２０、５３０の他方により提供される開口と嵌合することができる、留め金、タングまたは突起などの機械的嵌合留め具を使用して、電子モジュール５２０に結合することができる。バリエーションでは、フェースプレート５３０は、電子モジュール５２０の周りに適合して保持する偏向締め具または部材を使用することができる。実施例では、電子モジュール５２０およびフェースプレート５３０の組合せは、嵌合インターフェース５１０を介してベース装置５００に取り付けることができる。
【００３８】
図６Ａおよび図６Ｂは、代替的なバリエーションを示し、ベース装置６００、６５０は、電子モジュールおよび／またはフェースプレートを保持するための１つまたは複数のタイプの機械的留め具を含む。図６Ａでは、ベース装置６００は、ベース装置６００の上端６０２および下端６０４上に保持構造６１０、６１２を含む。保持構造６１０、６１２のそれぞれは、電子モジュールから対応する突出構造を受け取るための１つまたは複数の開口を含むことができる。
【００３９】
図６Ｂでは、ベース装置６５０は、ベース装置の側面または側端から伸長する突起６５２（例えば、フック付き要素）を含む。突起６５２は、電子モジュールまたはフェースプレートからの対応する嵌合構造を受容することができる隙間だけ内側に設定されてもよい。ベース装置６５０はまた、上部および下部支持構造６６２、６６４を含み、ベース装置６５０と嵌合したときに電子モジュールを支持することができる。
【００４０】
図７Ａ〜図７Ｄは、電子アセンブリの別の実施例を示しており、ベース装置７００の１つまたは複数のフックファスナーが、電子モジュール７２０を保持するために使用されている。図７Ａでは、ベース装置７００は、パネル領域７１０から伸長する一組のフック７０８（例えば、４つ）を含む。図７Ｂに示されるように、電子モジュール７２０は、電子装置７２０の背面ファサード７２４上に提供される受容構造７２２を含み、ベース装置７００のそれぞれのフックファスナー７０８と嵌合する。図示される実施例では、電子モジュール７２０はまた、ベース装置７００の電気コネクタ７１２と嵌合するための電気コネクタのセットを提供する凹部７２５を含みうる。図７Ｃを参照すると、フック７０８および受容構造７２２は、ベース装置７００を電子モジュール７２０に接続するように嵌合されうる。図７Ｄは、フック動作を示し、ユーザがこれを実行することにより電子モジュール７２０をベース装置７００に容易に結合できる。
【００４１】
図８Ａ〜図８Ｆは、電子アセンブリの別の実施例を示し、スライドおよび回転機構を用いて電子モジュール８２０をベース装置８００に結合する。図８Ａは、２つの下部コーナーに配置された保持機構８２２および電子モジュール８２０の２つの上部コーナーに配置された結合はめ込み８２７を有する電子モジュール８２０の背面ファサードを示している。図８Ｂは、詳細Ｃのクローズアップを示し、嵌合する伸長部８２４を受け取るための受容形状を有する陥凹形成部としての保持機構８２２を示している。図８Ｃでは、ベース装置８００は、電子モジュール８２０の保持機構８２２と嵌合するように成形されたミラー化された伸長部８１２（例えば、保持フック）を含む。ベース装置８００はさらに、電子装置８２０の結合はめ込み８２７と嵌合するための一対の結合突起８２９を含む。図８Ｄは、詳細Ｄのクローズアップであり、嵌合する伸長部８２４が外側および上方に伸長することを示す。図８Ｅおよび図８Ｆは、スライドおよび回転動作を用いて嵌合されている電子モジュール８２０およびベース装置８００を示し、ベース装置８００の伸長部８２４は、電子モジュール８２０の対応する保持機構８２２によって受け取られ、電子モジュール８２０の頂部がベース装置８００の方向に旋回されて、ベース装置８００の結合突起８２９が電子デバイス８２０の結合はめ込み８２７と嵌合する。そのような実施例では、結合突起８２９および結合はめ込み８２７は、加えられた力（例えば、スナップファスナーを介して）で自動的に固定することができる、またはロックピンまたはネジを使用して機械的に固定することができる。
【００４２】
図９Ａおよび図９Ｂは、電子アセンブリの別の実施例を示しており、ベース装置９００および電子モジュール９２０は、電子デバイス９２０をベース装置９００に固定する手段として、電子モジュール９２０がベース装置９００内にスライドできるように構成されている。図９Ａに示されるように、ベース装置９００は、ベース装置９００の嵌合インターフェース９１０から外向きに伸長する周囲構造９１２（例えば、リップ付き保持スライダー）を含む。そのような実施例では、電子モジュール９２０は、ベース装置９００の周囲構造９１２に結合する対応する保持スライダーを含んでもよく、ユーザは、電子モジュール９２０を下向きにスライドさせて電子モジュール９２０をベース装置９００と結合させることができる（図９Ａに示されるように）。
【００４３】
ベース拡張
いくつかの実施例では、電子アセンブリのコンポーネントをモジュール化して、異なるサイズの電子モジュールを設置されたベース装置と嵌合させることができる。例えば、図５Ａ〜図５Ｄに示されるように、ベース装置５００は、電気ジャンクションボックス５９５（例えば、ギャングボックス）の寸法に一致するように設置されてもよい。例えば、電子部品が配置されているベース装置５００のレセプタクルは、設置されるとジャンクションボックス５９５の開口中まで伸長する。したがって、ベース装置５００のレセプタクルの寸法は、設置点での既存のジャンクションボックス５９５の寸法によって制約されうる。
【００４４】
さらに、ジャンクションボックスのサイズは、ボックスを介して提供されるスイッチ（例えば、照明を制御するため）の数などの要因に基づいて変化する。したがって、ベース装置５００のサイズおよび構成（例えば、物理的レイアウト）もまた、異なるサイズのジャンクションボックスに対応するように変化しうる。同様に、電子モジュール５２０（およびフェースプレート５３０）のサイズおよび構成もまた変化しうる。例えば、より大きな電子モジュール５２０は、より大きなディスプレイ、または追加のセンサ領域を含みうる。ベース装置５００のモジュール性を強化するために、実施例は、ベース装置が、設置されたときにそのフットプリントを増加させる１つまたは複数の拡張を受け取ることを可能にする。フットプリントが増加すると、ベース装置５００は、例えば、既存のジャンクションボックスに適合するように設置することができる一方で、より大きなベース装置用に寸法が決められうる電子モジュールの取り付けをサポートする。
【００４５】
図１０Ａおよび１０Ｂは、拡張ベース装置の実施例を示している。図１０Ａおよび図１０Ｂを参照すると、ベース装置拡張部１０１０は、ベース装置１０００に隣接して配置されうるプレートを備え、より大きな電子モジュールを収容する増加した寸法（例えば、幅）を有する複合ベース構造１０１２をもたらす。実装に応じて、拡張部１０１０は、下地壁に固定されてもよく、ベース装置１０００のパネルエッジ１０１８で終端となる。拡張部１０１０の寸法は、ベース装置１０００および拡張部１０１０の組み合わされた寸法が、複合構造１０１２に嵌合される電子モジュールの寸法に一致するように選択されてもよい。拡張部１０１０はまた、例えば、保持構造（例えば、図６Ａを参照）および／または支持構造（例えば、図６Ｂを参照）を含み、取り付けられた電子モジュールを支持することができる。
【００４６】
より大きな電子モジュールを収容するために、いくつかの実施例は、拡張部１０１０が、ベース装置１０００に対して横方向および垂直方向に拡張部１０１０を位置合わせする横方向保持構造１０１４を含むことを提供する。実施例では、拡張部１０１０の横方向保持構造１０１４は、外側に伸長し、ベース装置１０００のパネルエッジ１０１８に沿ってまたはその近くで対応する凹部、開口部、または結合機構と嵌合する突起を含むことができる。
【００４７】
バリエーションでは、横方向保持構造１０１４は、パネルエッジ１０１８に向かって横方向外向きに伸長してもよい。そのようなバリエーションでは、パネルエッジ１０１８は、横方向保持構造１０１４を受容するための横方向凹部を含むことができる。他のバリエーションでは、ベース装置１０００は、上記のような横方向構造を含んでもよく、拡張部１０１０は、ベース装置１０００の横方向構造を受容するための適合する凹部、開口部、または結合構造を含んでもよい。
【００４８】
安全スイッチおよびプランジャ機構
図１１Ａ〜図１１Ｃは、本明細書に記載の様々な実施例による、取り付けられた電子デバイス１１５０に電力を供給するための例示的な安全スイッチを示す。図１１Ａ〜１１Ｃを参照すると、電子デバイス１１５０用の取付けプレート１１００は、ウォールボックスまたはギャングボックス内のインサートプレート１１１５に取り付けることができる。取付けプレート１１００は、電子モジュール１１５０のための電気嵌合インターフェースを備えることができ、電子デバイス１１５０に電力を供給する電子コネクタ１１３０のための凹部１１０５を含むことができる。様々な実施例において、取付けプレート１１００は、電子デバイス１１５０がその上に取り付けられていない場合に、伸長位置でプランジャ１１１０を含むことができる。プランジャ１１１０が伸長位置にあるとき、安全スイッチ１１２０は、エアギャップ１１２２が存在するように解除される。解除位置では、安全スイッチ１１２０は、電力線１１２５を電子コネクタ１１３０から切り離す。図１１Ｃに示されるように、プランジャ１１１０が伸長位置にあるとき、安全スイッチ１１２０が開き、エアギャップ１１２２が作成され、これにより、電力線１１２５が取付けプレート１１００から切断される。
【００４９】
図１２Ａおよび１２Ｂは、本明細書に記載の実施例による、取り付けられた電子デバイス１２５０に電力を供給するための安全スイッチの別の実施例を示している。図１２Ａに示されるように、電子デバイス１２５０は、取付けプレート１２００に取り付けられ、これによってプランジャ１２１０が押し下げられるかまたは押し込まれて安全スイッチ１２２０が閉じられ、電力線１２２５、閉じたスイッチ１２２０、および取付けプレート１２００の電気コネクタを介して電子デバイス１２５０に電力を供給することが可能となる。したがって、電子デバイス１２５０を取付けプレート１２００に結合することは、電気コネクタ（図示せず）を電子デバイス１２５０に接続し、同時にプランジャ１２１０を押し下げて安全スイッチ１２２０と係合させる。電子デバイス１２５０を取付けプレート１２００から切り離すと、プランジャ１２１０は自動的に伸長することができ、これにより安全スイッチ１２２０解除され、それによって電気コネクタへの電力線１２２５が切り離される。
【００５０】
シャッター機構
図１３Ａ〜１３Ｄは、様々な実施例による、電子デバイス用のシャッター機構１３４５の例示的な実施形態を示している。電子デバイスは、図５Ａおよび図５Ｈに関して図示され説明された電子モジュール５２０のような、本開示全体を通して説明された実施形態を含むことができる。本明細書で説明するように、電子デバイスは、様々なセンサ（例えば、光センサ、モーションセンサなど）、およびセンサデータを受信または他の方法で捕捉するために開口を必要とする１つまたは複数のカメラを含むことができる。図１３Ａおよび図１３Ｂを参照すると、電子デバイス用のフェースプレート１３００は、１つまたは複数のセンサ（例えば動作検出センサ）のための開口を含んでもよく、これは、電子デバイス（例えば、ユーザの存在を検出するため）の最適な使用のためにカバーされる必要がないまたはカバーされない必要がある。フェースプレート１３００はさらに、電子デバイスのカメラ用のカメラ開口１３０４を含むことができ、カメラは、電子デバイス（例えば、図１１Ｂおよび図１２Ａに示される電子デバイス１１５０、１２５０）の正面ファサード上に配置される。
【００５１】
ユーザが特定の環境でカメラをカバーしたい場合を検討する。したがって、説明された実施例によれば、図１３Ｃおよび１３Ｄの後方図に示されるように、フェースプレート１３００内にシャッター機構１３４５が含まれ、ユーザがカメラ開口１３０４を閉じることを可能にする。シャッター機構１３４５のシャッタースライダー１３６０は、カメラレンズをカバーするシャッター部分１３０８を含むことができる。シャッター部分１３０８は、ユーザが指で押してシャッター部分１３０８を開閉することができる突起またはリップ１３０６を含むことができる。様々な実施例において、シャッター機構１３４５のシャッタースライダー１３６０は、シャッター機構１３４５の直線的な開閉を確実にするためにスライダー開口部１３１４内でガイドされる１つまたは複数のスライダーピン１３１２を含む。
【００５２】
特定の実装形態では、シャッター機構１３４５のシャッタースライダー１３６０はさらに、スライド蟻継ぎ（sliding dovetails）１３１６を含んでもよく、シャッター部分１３０８がフェースプレート１３００に対して剛性であり、カメラ開口１３０４の幅に沿った直線運動のみが可能となり、これは、スライダー開口部１３１４およびスライド蟻継ぎ１３１６がそれに沿ってスライドするレールの長さに対応する。図１３Ｃおよび１３Ｄに示されるように、スライダー開口部１３１４およびスライド蟻継ぎ１３１６はいずれも、カメラ開口部１３０４とフェースプレート１３００のエッジとの間に十分なギャップ１３０７があるので、カメラ開口部１３０４に対して横方向に（例えば、フェースプレート１３００に対して同じ水平軸で）配置することができる。図１３０４およびフェースプレート１３００の縁（図１３Ｂに示されるように）。このギャップ１３０７は、シャッター部分１３０８およびシャッター機構１３４５が、ギャップ１３０７の長さに沿ってかつカメラ開口１３０４の横方向に、フェースプレート１３００の後方に配置されることを可能にする。図１３Ａ〜１３Ｄのシャッタースライダー１３６０のさらなる説明が、図１５Ａおよび１５Ｂに関して以下に提供される。
【００５３】
図１３Ｄを参照すると、電子デバイスのシャーシまたはフェースプレート１３００は、シャッター機構１３４５のタック部分（tacking portion）１３１９の一対の対応するロック孔１３１７にソフトロックするロックピンを含むレバーアーム１３２１を備えうる（図１５Ｂに示される）。例えば、ロックピンは、レバーアーム１３２１の遠位端に配置されてもよく、ガイド溝１３２３（図１５Ｂに示される）内でスライドして、ロックピンが第１のロック孔１３１７にロックする開位置およびロックピンが他のロック孔１３１７にロックする閉位置でソフトロックすることができる。このソフトロック特徴のさらなる詳細は、図１５Ｂに関して以下に提供される。
【００５４】
図１４Ａ〜１４Ｃは、本明細書に記載の実施例による、電子デバイス用のシャッター機構１４４５の別の例示的な実施形態を示す。図１４Ａに示されるように、カメラ開口１４０４をカバーするシャッター部分１４０８もまた突起またはリップ１４０６を含み、センサ開口１４０２は開いたままである。図１４Ａ〜１４Ｃに関して図示され説明されるシャッター機構１４４５は、電子デバイスおよび対応するフェースプレート１４００に必要な代替的な実施形態であり、ここで、カメラ開口１４０４とフェースプレートのエッジとの間のギャップ１４０７は、図１３Ａ〜１３Ｄのシャッター機構１３４５の単純な設置および構成には不十分である。したがって、図１４Ｂを参照すると、シャッター機構１４４５のスライド蟻継ぎ１４１６のためのレールは、カメラ開口１４０４に対して横方向に配置されるのではなく、カメラ開口１４０４の上下に配置される。したがって、スライド蟻継ぎ１４１６、スライダー開口部１４１４、およびスライダーピン１４１２は、それぞれ、カメラ開口１４０４および開口１４０２の水平軸の上下にある水平軸上に配置される。さらに、いくつかの態様では、ギャップ１４０７は、シャッタースライダー１４６０のシャッター部分１４０８の幅と実質的に同等である幅を含むことができる。
【００５５】
図１４Ｂを参照すると、電子デバイスまたはフェースプレート１４００のシャーシは、一対のレバーアーム１４２１を含んでもよく、これはそれぞれ、シャッター機構１４４５のタック部分１４１９の２つのロック孔１４１７の間のガイド溝１４２３内をスライドするように構成されたロックピンを含む（図１６Ｂに示される）。例えば、各レバーアーム１４２１について、ロックピンは、レバーアーム１４２１の遠位端に配置することができ、ガイド溝１４２３内でスライドして（図１６Ｂに示される）、ロックピンが第１のロック孔１４１７にロックする開位置およびロックピンが他のロック孔１４１７にロックする閉位置でソフトロックできる。このソフトロック機能のさらなる詳細は、図１６Ｂに関して以下に提供される。
【００５６】
シャッタースライダー１４６０は、閉じたときにカメラ開口１４０４をカバーするためのシャッター部分１４０８、および、シャッタースライダー１４６０を安定させる１つまたは複数のスライダー付属物１４１８を備えることができる。図１４Ｃに示される実施例では、シャッタースライダー１４６０は、一対のスライダー付属物１４１８を備える。スライダーピン１４１２およびスライド蟻継ぎ１４１６はそれぞれ、各スライダー付属物１４１８に結合することができ、その後、スライダー開口部１４１４およびレールにそれぞれ結合することができる。図１４Ａ〜１４Ｃのシャッタースライダー１４６０のさらなる説明が、図１６Ａおよび１６Ｂに関して以下に提供される。
【００５７】
図１５Ａおよび図１５Ｂは、図１３Ａ〜図１３Ｄに関して図示され説明されているように、シャッター機構１３４５に実装されたシャッタースライダー１３６０を示している。図１５Ａに示されるように、シャッタースライダー１３６０は、シャッター部分１３０８および突起またはリップ１３０６を含む。図１５Ｂを参照すると、シャッタースライダー１３６０の裏面は、シャッタースライダー１３６０を一定の水平位置に保持し単一の直線軸に沿った移動を可能にする、複数のスライダーピン１３１２および複数のスライド蟻継ぎ１３１６を含むことができる。シャッター機構の特定の用途は、カメラレンズを引っ掻いたり損傷を与えたりする可能性があると考えられる。このような損傷を防ぐために、シャッター部分１３０８の背面は、シャッター部分１３０８の背面が電子デバイスのカメラレンズと接触しないように、凹部１３４０を含むことができる。
【００５８】
図１５Ｂに示されるように、シャッタースライダー１３６０は、一対のロック孔１３１７を含むタック部分１３１９を備えることができ、一方はシャッター機構１３４５の開位置用であり、他方はシャッター機構１３４５の閉位置用である。ガイド溝１３２３をロック孔１３１７の間に配置して、シャーシのレバーアーム１３２１のロックピンを開位置と閉位置との間でガイドすることができる。実際には、シャッター機構１３４５を開閉するユーザは、一方のロック孔１３１７から解除されるロックピンに対応する最初のクリック、および他方のロック孔１３１７に係合するロックピンに対応する次のクリックを感じる。
【００５９】
図１６Ａおよび図１６Ｂは、図１４Ａ〜図１４Ｃに関して図示され説明されているように、シャッター機構１４４５に実装されたシャッタースライダー１４６０を示している。図１６Ａに示されるように、シャッタースライダー１４６０は、本明細書に記載されるように、突起またはリップ１４０６を有するシャッター部分１４０８、および一対の付属物１４１８を含むことができる。図１６Ｂを参照すると、シャッタースライダー１４６０はさらに、単一の直線軸に沿った移動のみを可能にする、複数のスライダーピン１４１２および複数のスライド蟻継ぎ１４１６を含むことができる。図１６Ｂに示されるシャッタースライダー１４６０はまた、シャッター部分１４０８とカメラレンズとの間の接触を防止するために、シャッター部分１４０８の裏面に凹部１４４０を含む。
【００６０】
図１６Ｂに示されるように、シャッタースライダー１４６０は、一対のタック部分１４１９（例えば、上側タック部分および下側タック部分）を含み、それぞれが、一対のロック孔１４１７およびそれらの間に配置されたガイド溝１４２３を含む。各タック部分１４１９について対応するレバーアーム１４２１上の対応するロックピンは、シャッター機構１４４５が閉位置にあるか開位置にあるかに応じて、各ロック孔１４１７に係合し解除することができる。図１５Ｂに記載されたシャッタースライダー１３６０と同様に、図１６Ｂのシャッタースライダー１４６０は、シャッター機構１４４５を開閉するためにユーザが利用することができ、ユーザは、一方のロック孔１４１７から解除されるロックピンに対応する最初のクリック、および他方のロック孔１４１７に係合するロックピンに対応する次のクリックを感じる。先述の実施形態は、理解を明確にするためにいくらか詳細に説明されているが、本発明は、提供された詳細に限定されない。本発明を実施する多くの代替の方法が存在する。開示された実施形態は、例示的なものであり、限定的なものではない。
【図１Ａ】
2021535992.tif 000003
【図１Ｂ】
2021535992.tif 000004
【図１Ｃ】
2021535992.tif 000005
【図１Ｄ】
2021535992.tif 000006
【図１Ｅ】
2021535992.tif 000007
【図１Ｆ】
2021535992.tif 000008
【図２Ａ】
2021535992.tif 000009
【図２Ｂ】
2021535992.tif 000010
【図３Ａ】
2021535992.tif 000011
【図３Ｂ】
2021535992.tif 000012
【図４Ａ】
2021535992.tif 000013
【図４Ｂ】
2021535992.tif 000014
【図５Ａ】
2021535992.tif 000015
【図５Ｂ】
2021535992.tif 000016
【図５Ｃ】
2021535992.tif 000017
【図５Ｄ】
2021535992.tif 000018
【図５Ｅ】
2021535992.tif 000019
【図５Ｆ】
2021535992.tif 000020
【図５Ｇ】
2021535992.tif 000021
【図５Ｈ】
2021535992.tif 000022
【図６Ａ】
2021535992.tif 000023
【図６Ｂ】
2021535992.tif 000024
【図７Ａ】
2021535992.tif 000025
【図７Ｂ】
2021535992.tif 000026
【図７Ｃ】
2021535992.tif 000027
【図７Ｄ】
2021535992.tif 000028
【図８Ａ】
2021535992.tif 000029
【図８Ｂ】
2021535992.tif 000030
【図８Ｃ】
2021535992.tif 000031
【図８Ｄ】
2021535992.tif 000032
【図８Ｅ】
2021535992.tif 000033
【図８Ｆ】
2021535992.tif 000034
【図９Ａ】
2021535992.tif 000035
【図９Ｂ】
2021535992.tif 000036
【図１０Ａ】
2021535992.tif 000037
【図１０Ｂ】
2021535992.tif 000038
【図１１Ａ】
2021535992.tif 000039
【図１１Ｂ】
2021535992.tif 000040
【図１１Ｃ】
2021535992.tif 000041
【図１２Ａ】
2021535992.tif 000042
【図１２Ｂ】
2021535992.tif 000043
【図１３Ａ】
2021535992.tif 000044
【図１３Ｂ】
2021535992.tif 000045
【図１３Ｃ】
2021535992.tif 000046
【図１３Ｄ】
2021535992.tif 000047
【図１４Ａ】
2021535992.tif 000048
【図１４Ｂ】
2021535992.tif 000049
【図１４Ｃ】
2021535992.tif 000050
【図１５Ａ】
2021535992.tif 000051
【図１５Ｂ】
2021535992.tif 000052
【図１６Ａ】
2021535992.tif 000053
【図１６Ｂ】
2021535992.tif 000054
【国際調査報告】
2021535992.tif 000055